(57)【要約】【課題】タスク域の任意の位置に設置することができ、ドラフトによる不快感を感じ難くする。【解決手段】空調用空気Ａを供給自在な給気路１に連通接続自在な接続部５と、接続部５から流入する空調用空気Ａをユニット本体Ｙｂに受け入れる受入口８と、受入口８から受け入れた空調用空気Ａを床上のタスク域２Ａに吹き出す吹出口１１Ａとを備えた空調ユニットであって、接続部５と受入口８との間の流路Ｒは、可撓筒Ｙａによって構成してあり、ユニット本体Ｙｂ内を空調用空気Ａが通過するに伴って生じる負圧によってタスク域２Ａの滞留空気Ａ１をユニット本体Ｙｂ内の流路Ｒに誘引する誘引口１２を、ユニット本体Ｙｂに設けてある。【選択図】図１
2010281529.tif 000002
【特許請求の範囲】
【請求項１】
空調用空気を供給自在な給気路に連通接続自在な接続部と、
前記接続部から流入する空調用空気をユニット本体に受け入れる受入口と、
前記受入口から受け入れた空調用空気を床上のタスク域に吹き出す吹出口とを備えた空調ユニットであって、
前記接続部と前記受入口との間の流路は、可撓筒によって構成してあり、
前記ユニット本体内を前記空調用空気が通過するに伴って生じる負圧によって前記タスク域の滞留空気を前記ユニット本体内の流路に誘引する誘引口を、前記ユニット本体に設けてある空調ユニット。
【請求項２】
前記空調用空気の熱を前記タスク域に放射する放射部を、前記ユニット本体の流路中における前記誘引口より上流側に設けてある請求項１に記載の空調ユニット。
【請求項３】
前記ユニット本体内の前記空調用空気を前記吹出口に向けて送るファンが設けてある請求項１又は２に記載の空調ユニット。
【請求項４】
請求項１〜３の何れかに記載の空調ユニットを備えた空調システムであって、
空調用空気を供給自在な給気路が床下に設けられ、
前記接続部を前記給気路に連通接続自在な被接続部が床に設けられ、
前記空調ユニットの接続部を前記被接続部に連通接続してある空調システム。
【発明の詳細な説明】
【技術分野】
【０００１】
本発明は、空調用空気を供給自在な給気路に連通接続自在な接続部と、前記接続部から流入する空調用空気をユニット本体に受け入れる受入口と、前記受入口から受け入れた空調用空気を床上のタスク域に吹き出す吹出口とを備えた空調ユニット、及び、その空調ユニットを備えた空調システムに関する。
【背景技術】
【０００２】
従来、この種の空調技術には、図５に示すように、ユニット本体Ｙｂとして床Ｆの上に設置自在なパーティション６を用いるものがあった（例えば、特許文献１参照）。
これは、床Ｆにダクト端部を開口させて設置されている床下設置タイプの給気路１に接続して空調するものであり、前記給気路１のダクト端部の直上にパーティション６を設置し、前記パーティション６に一体に固定されている接続部５（兼受入口８）を前記ダクト端部に接続し、前記給気路ダクトから前記接続部５を通してパーティション６の内部の流路Ｒに供給される空調用空気Ａを、前記パーティション６に備えた吹出口１１Ａからタスク域２Ａに吹き出すように構成されたものであった。
【先行技術文献】
【特許文献】
【０００３】
【特許文献１】特開平４−３５０４４４号公報（図１、図２）
【発明の概要】
【発明が解決しようとする課題】
【０００４】
上述した従来の空調技術によれば、前記給気路と連通接続する前記接続部が、前記パーティション（ユニット本体）と一体に固定されているから、床に開口させた前記ダクト端部に前記接続部を接続するためには、前記パーティションの設置は、前記ダクト端部の直上に限られる。それに伴って、パーティションと一体の吹出口の位置も同じように決まってしまう。従って、タスク域の任意の位置で空調用空気を吹き出して空調することは困難となる。
また、吹出口から吹き出される空気の温度は、給気路から送られる空調用空気の温度のままであり、室内温度と空調用空気の温度とに開きが大きい場合、タスク域でのドラフトを感じ易く、不快感を伴う可能性がある。
【０００５】
従って、本発明の目的は、上記問題点を解消し、タスク域の任意の位置に設置することができ、ドラフトによる不快感を感じ難くできる空調技術を提供するところにある。
【課題を解決するための手段】
【０００６】
本発明の第１の特徴構成は、空調用空気を供給自在な給気路に連通接続自在な接続部と、前記接続部から流入する空調用空気をユニット本体に受け入れる受入口と、前記受入口から受け入れた空調用空気を床上のタスク域に吹き出す吹出口とを備えた空調ユニットであって、前記接続部と前記受入口との間の流路は、可撓筒によって構成してあり、前記ユニット本体内を前記空調用空気が通過するに伴って生じる負圧によって前記タスク域の滞留空気を前記ユニット本体内の流路に誘引する誘引口を、前記ユニット本体に設けてあるところにある。
【０００７】
本発明の第１の特徴構成によれば、前記接続部と前記受入口とを各別に設けると共に、それらの間の流路は、可撓筒によって構成してあるから、接続部と受入口との相対位置を前記可撓筒の可撓性を有効に利用して自由に変更することができるようになる。
従って、給気路の開口位置に拘わらず、ユニット本体の設置位置を任意に設定することができ、タスク域の任意の位置にユニット本体を設置して、要求にあった空調を実現することができるようになる。
また、前記ユニット本体内を前記空調用空気が通過するに伴って生じる負圧によって前記タスク域の滞留空気を前記ユニット本体内の流路に誘引する誘引口を、前記ユニット本体に設けてあるから、給気路からの空調用空気に対して、誘引口からのタスク域の滞留空気を混ぜることができる。
従って、タスク域の環境温度に対して、給気路の空調用空気の温度が大きく差があるような場合でも、その差を緩和してドラフト感の低い空調を実現することが可能となる。
その結果、過熱又は過冷却されてタスク域の環境温度との温度差が大きくなった空気を空調用空気として使用することが可能となり、送風量を抑えても十分な空調効果が得られるようになり、空調用空気の搬送効率の向上を図ることができる。よって、送風設備の軽減化を叶えることができる。因みに、空調用空気の熱には、温熱と冷熱との両方を含むものであり、温熱空気を使用する場合には暖房空調であり、冷熱空気を使用する場合には冷房空調である。
以上の結果、例えば、机の上に当該空調ユニットを設置することも可能であり、机上のタスク域で、人体に近接した位置から空調用空気を吹き出しても、ドラフト感が低く、違和感のない自然に近い状態での空調を実現することができる。
【０００８】
本発明の第２の特徴構成は、前記空調用空気の熱を前記タスク域に放射する放射部を、前記ユニット本体の流路中における前記誘引口より上流側に設けてあるところにある。
【０００９】
本発明の第２の特徴構成によれば、前記吹出口からタスク域に吹き出した空調用空気による空調に加えて、前記放射部からの放射熱による空調も並行して実施できるようになり、形式の異なる空調方式の各長所を有効に利用することができる。
また、放射部は、ユニット本体の流路中における誘引口より上流側に設けてあるから、空調用空気に対する放射部での熱交換によってある程度の熱を奪われた空調用空気が、誘引口からのタスク域滞留空気と混ざって吹出口から吹き出されることになる。従って、吹出口からの吹出空気の温度を、更にタスク域の環境温度に近付けることができ、ドラフト感をさらに低減して、より違和感のない自然に近い状態での空調を実現することができる。
【００１０】
本発明の第３の特徴構成は、前記ユニット本体内の前記空調用空気を前記吹出口に向けて送るファンが設けてあるところにある。
【００１１】
本発明の第３の特徴構成によれば、ファンによって、積極的な送風を行えるようになり、より効率の高い空調を行える一方、給気路側の送風設備の低減をも叶えることができる。
【００１２】
本発明の第４の特徴構成は、請求項１〜３の何れかに記載の空調ユニットを備えた空調システムであって、空調用空気を供給自在な給気路が床下に設けられ、前記接続部を前記給気路に連通接続自在な被接続部が床に設けられ、前記空調ユニットの接続部を前記被接続部に連通接続してあるところにある。
【００１３】
本発明の第４の特徴構成によれば、請求項１〜３の何れかに記載の空調ユニットによる上述の各作用効果を、より効率よく実施することが可能となる。
即ち、アンダーフロア空調によって、床上のタスク域の任意の位置にユニット本体を配置することができ、更には、その位置が使用者に近接していても、ドラフト感が少なく、違和感のない自然に近い状態での空調を実現することができる。
【図面の簡単な説明】
【００１４】
【図１】第１実施形態の空調システムを示す断面図
【図２】第２実施形態の空調システムを示す断面図
【図３】別実施形態の空調システムを示す断面図
【図４】別実施形態の空調システムを示す断面図
【図５】従来例の空調システムを示す断面図
【発明を実施するための形態】
【００１５】
以下に本発明の実施の形態を図面に基づいて説明する。尚、図面において従来例と同一の符号で表示した部分は、同一又は相当の部分を示している。
【００１６】
〔第１実施形態〕
図１は、本発明の空調ユニットＹを使用した空調システムＳの第１実施形態を示している。
【００１７】
空調システムＳは、床下に設けられた給気路１と、給気路１からの空調用空気Ａを床Ｆの上の室内空間２に吹き出して空調を行う空調ユニットＹとを設けて構成してある。
【００１８】
給気路１は、例えば、図に示すように、ダクト部材３で構成してあり、上流側を、空調機（図には示さない）に連通接続してある一方、下流側は、床Ｆに形成された被接続部４に連通接続してある。従って、前記空調機からの空調用空気Ａを、前記被接続部４に接続した空調ユニットＹに供給することができる。
尚、給気路１は、ダクト部材３に替えて、例えば、床下空間そのもので構成することも可能である。
因みに、前記被接続部４は、当該実施形態においては、前記空調ユニットＹの接続部５を着脱自在な嵌合継手として構成されている。従って、被接続部４に前記接続部５をワンタッチで接続することができ、それによって給気路１に空調ユニットＹを簡単に連通接続することができる。また、同様に、これら両者をワンタッチで取り外すこともできる。
また、床Ｆの複数箇所に、分散させて前記被接続部４をそれぞれ設けてあれば、それらの中から、空調ユニットＹを接続したい被接続部４を自由に選択することができる。従って、広い室内空間２であっても、目的とする位置に近い箇所の被接続部４に空調ユニットＹを接続して、空調を行うことができる。
【００１９】
前記室内空間２は、当該実施形態では、床Ｆの上に、パーティション６や机７を設置したオフィース空間として構成されている。従って、机７の上や下等の周囲空間がタスク域２Ａとなり、その他の範囲がアンビエント域２Ｂとなる。
【００２０】
前記空調ユニットＹは、ユニット本体Ｙｂと、ユニット本体Ｙｂを前記給気路１に連通接続する可撓筒Ｙａとを備えて構成されている。
【００２１】
前記可撓筒Ｙａは、合成樹脂で形成してあり、上流側の筒端部に、前記接続部５が設けられている。また、下流側の筒端部は、前記ユニット本体Ｙｂの受入口８に連結されている。
従って、可撓筒Ｙａは自由自在に撓ませることができ、その撓み許容範囲であれば、被接続部４に対するユニット本体Ｙｂの設置位置を、任意の位置に設置することができる。
例えば、机の下の被接続部４に前記接続部５を接続した状態で、ユニット本体Ｙｂを、机の下の足元に設置したり、机の上の側方や前方に設置したり、使用者の希望に応じて任意の位置に移動して使用することができる。
因みに、ユニット本体Ｙｂを机の上に設置する場合は、図１に示すように、机７とパーティション６との間の配線挿通用スリット９に、可撓筒Ｙａを挿通させることもできる。
【００２２】
前記ユニット本体Ｙｂは、縦型の偏平ボックス形状のケーシング１０に、前記受入口８と、前記受入口８から受け入れた空調用空気Ａを室内空間２に吹き出す吹出口１１と、前記受入口８から吹出口１１に通じる流路Ｒと、前記ユニット本体Ｙｂ内を前記空調用空気Ａが通過するに伴って生じる負圧によって前記タスク域２Ａの滞留空気Ａ１を前記流路Ｒに誘引する誘引口１２とを設けて構成してある。
【００２３】
前記ケーシング１０は、例えば、合成樹脂で構成してある。
【００２４】
前記吹出口１１には、空調用空気Ａをタスク域２Ａに向けて吹き出すタスク吹出口（本発明に係わる吹出口に相当）１１Ａと、アンビエント域２Ｂに向けて吹き出すアンビエント吹出口１１Ｂとが設けてある。また、これら両吹出口１１Ａ，１１Ｂにおける空気吐出量を０〜最大量の範囲で調整できる吐出量調整機構１３が設けてある。この吐出量調整機構１３によれば、空調用空気Ａを、タスク域２Ａのみ、又は、アンビエント域２Ｂのみ、又は、タスク域２Ａとアンビエント域２Ｂのいずれの領域にも吹き出すように調整することができる。即ち、タスク空調とアンビエント空調とを、状況に応じて切り替えて（又は、並行して）実施することが可能となる。
【００２５】
前記流路Ｒは、本実施形態においては、ケーシング１０そのものが外部との隔壁となって、その内部に流路Ｒが形成されるように構成されている。但し、ケーシング１０内に、流路Ｒを構成する別の筒部材を設けるものであってもよい。
【００２６】
前記誘引口１２は、ユニット本体Ｙｂの前面下端部に形成した複数の貫通孔１２ａで構成してあり、これらの貫通孔１２ａは、ユニット本体Ｙｂ内の下方に形成した小さい仕切り空間１２ｂに面して配置してある。流路Ｒ内を、空調用空気Ａが通過するに伴って、前記仕切り空間１２ｂ内が負圧状態となり、前記貫通孔１２ａから、ユニット本体Ｙｂの前面の滞留空気Ａ１が流路Ｒ内に誘引される。
【００２７】
本実施形態の空調ユニットＹによれば、接続部５と受入口８との相対位置を前記可撓筒Ｙａの可撓性を有効に利用して自由に変更することができるから、タスク域２Ａの任意の位置にユニット本体Ｙｂを設置して、要求にあった空調を実現することができるようになる。また、前記流路Ｒ内の空調用空気Ａに対して、誘引口１２からのタスク域２Ａの滞留空気Ａ１を混ぜることができ、タスク域２Ａの環境温度に対して、給気路１の空調用空気Ａの温度が大きく差があるような場合でも、その差を緩和してドラフト感の低い空調を実現することが可能となる。
その結果、机上のタスク域２Ａで、人体に近接した位置から空調用空気Ａを吹き出しても、ドラフト感が低く、違和感のない自然に近い状態での空調を実現することができる。
【００２８】
〔第２実施形態〕
図２は、本発明の空調ユニットＹを使用した空調システムＳの第２実施形態を示している。
【００２９】
前記第１実施形態と共通する構成に関しては、説明を割愛し、特に異なった構成について説明をする。
特に異なる点は、前記空調用空気Ａの熱を前記タスク域２Ａに放射する放射部１４を、前記ユニット本体Ｙｂの中の流路Ｒにおける前記誘引口１２より上流側に設けてある点である。
【００３０】
前記放射部１４は、ケーシング１０の前面部の下半分を、例えば、金属のように熱伝導性の高い材料の板で形成することで構成されている。即ち、この金属板を介して表裏空間での温度勾配によって熱交換が図られるもので、流路Ｒ内の空調用空気Ａの熱を、放射部１４の前面側のタスク域２Ａに放射することでタスク空調を行うことができる。
【００３１】
また、誘引口１２は、前記放射部１４の上方のケーシング１０部分に、仕切り空間１２ｂ、及び、貫通孔１２ａを設けて構成されている。
【００３２】
本実施形態の空調ユニットＹによれば、前記吹出口１１から室内空間２に吹き出した空調用空気Ａによる空調に加えて、前記放射部１４からの放射熱による空調も並行して実施できるようになり、形式の異なる空調方式の各長所を有効に利用することができる。
また、放射部１４は、ユニット本体Ｙｂの流路Ｒ中における誘引口１２より上流側に設けてあるから、空調用空気Ａに対する放射部１４での熱交換によってある程度の熱を奪われた空調用空気Ａが、誘引口１２からのタスク域２Ａの滞留空気Ａ１と混ざって吹出口１１から吹き出されることになる。従って、吹出口１１からの吹出空気の温度を、更にタスク域２Ａの環境温度に近付けることができ、ドラフト感をさらに低減して、より違和感のない自然に近い状態での空調を実現することができる。
【００３３】
〔別実施形態〕
以下に他の実施の形態を説明する。
【００３４】
〈１〉  前記吹出口１１は、先の実施形態で説明したタスク吹出口１１Ａとアンビエント吹出口１１Ｂとの両方を備えたものに限るものではなく、例えば、タスク吹出口１１Ａのみを備えたものであってもよい。また、吐出量調整機構１３は、必ずしも備えてなくてもよい。
〈２〉  前記空調ユニットＹは、先の実施形態で説明したものに限るものではなく、例えば、素材や、形状の変更も可能である。
また、先の実施形態では、給気路１側からの送風によって空調用空気Ａを吹出口１１から吹き出すように構成されたものを説明したが、この構成に限るものではない。例えば、図３、図４に示すように、前記ユニット本体Ｙｂ内の前記空調用空気Ａを前記吹出口１１Ａに向けて送るファンｆが設けてあるものであってもよい。
このファンｆに関しては、図３、図４に示すようにユニット本体Ｙｂ内に備えるものに限らず、例えば、可撓筒Ｙａに備えることも可能である。可撓筒Ｙａにファンｆを設けた場合、ユニット本体Ｙｂの軽量化を図ることができ、ユニット本体Ｙｂの移動を、より簡単に実施することができる。
〈３〉  前記誘引口１２は、先の実施形態で説明したものに限るものではなく、例えば、誘引される滞留空気の量を調整自在な流量調整機構を設けるものであってもよく、その場合は、流路Ｒ内に送られてくる空調用空気Ａに対する滞留空気Ａ１の混合量を調整することができる。その結果、吹出口１１から吹き出す空気の温度調整を、温度の異なる空気Ａ，Ａ１の混合量の調整によって行うことが可能となる。
勿論、これら温度調整に関しては、この流量調整機構のみの制御に限らず、例えば、前記吐出量調整機構１３の制御や、前記ファンｆの制御と組み合わせて行うものであってもよい。また、これらの各機構を制御する空調制御機構を備えることも有効である。
【００３５】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００３６】
１      給気路
２Ａ    タスク域
４      被接続部
５      接続部
８      受入口
１１Ａ  タスク吹出口（吹出口に相当）
１２    誘引口
１４    放射部
Ａ      空調用空気
Ａ１    滞留空気
Ｆ      床
ｆ      ファン
Ｒ      流路
Ｙ      空調ユニット
Ｙａ    可撓筒
Ｙｂ    ユニット本体
【図１】
2010281529.tif 000003
【図２】
2010281529.tif 000004
【図３】
2010281529.tif 000005
【図４】
2010281529.tif 000006
【図５】
2010281529.tif 000007